(57)【特許請求の範囲】
【請求項１】
同一幅又は異なる幅の細長い片からなるリボンを複数本並設し、該リボンの中央部又は途中で隣接するリボン同士が連接し、かつ並設した複数本のリボンのうち一本又は複数本前記連接部において蝶リボン部を留め具又は結びによって形成し、残りのリボンは少なくとも横方向リボン及び又は縦方向リボンとしたことを特徴とする包装用リボン。
【請求項２】
前記留め具は蝶リボンの中心部を留めるものとして、ワイヤー、ワイヤーとリボン留めの組合せ、ビーズ付ワイヤー、金属線入り帯状フィルム（以下、帯フィルムという）、生地シール付帯フィルム、花付ワイヤー、リボン付花ワイヤー、バンド式留め具等の各種留め具を使用することを特徴とする請求項１記載の包装用リボン。
【請求項３】
上記縦方向リボンの連接部の端部にシワ防止用切り込みを形成したことを特徴とする請求項１又は２記載の包装用リボン。
【請求項４】
上記蝶リボン部にリボン輪を増やすための切り込みを形成したことを特徴とする請求項１、２又は３記載の包装用リボン。
【請求項５】
上記リボンのうち少なくともいずれか１本のリボンに、抜き文字、抜き記号又は星、花、リボン、鳥、三角、四角等の各種の抜き図形を形成したことを特徴とする請求項１、２、３又は４記載の包装用リボン。
【発明の詳細な説明】
【０００１】
【発明の属する技術分野】
本発明は品物を容器や包装紙で包装する場合に、簡単にリボン掛けができるようにした包装用リボンに関する。
【０００２】
【従来の技術】
従来の包装用リボンは例えば、一本の細長い片からなるリボンをロール状に巻き取ったものを使用し、店員等が商品の包装時において、包装容器等に十文字に掛け正面中央部で蝶リボンを形成するようにしていた。また別の方法としては、蝶リボン、縦帯用リボン及び横帯用リボンの合計３本のリボンを用意し、蝶リボンでは蝶型に結んで形成し、蝶型リボンにワイヤを取り付け、次に縦帯用リボンの中央部に蝶型リボンを前記ワイヤを使用して結着し、さらに前記ワイヤを使用して横帯用リボンの中央部を結着する。こうして得られた包装用リボンを包装容器等の正面の表側に当て、裏側で縦帯用リボン及び横帯用リボンの端部同士を接着テープ、接着剤又はシール等で止める。
【０００３】
【発明が解決しようとする課題】
しかし、クリスマスプレゼントやホワイトデーといった商品購入の混雑時に店員等がいちいちリボン掛けをしていたのでは時間がかかり顧客に迷惑を掛けるばかりではなく、定員等が奇麗にリボン掛けができないという難点があった。
上記のように、蝶リボン、縦帯用リボン及び横帯用リボンの合計３本のリボンを用意して蝶型の形成及び縦横用リボンの結着といった作業は、内職で行う仕事であるために、時間がかかる上に工賃が高いし、出来栄えが一定せず、品質的に劣る等の難点があった。
【０００４】
本発明は上記の点に鑑みてなされたもので、その目的とするところは、店員等の商品を包装する人が熟練を要することなく誰でも簡単に奇麗にリボン掛けができ、リボン掛けの出来栄えがどなたがおこなっても一定の品質を維持でき、またリボン飾りの製作費用も大幅に短縮できるようにした包装用リボンを提供することにある。
【０００５】
【課題を解決するための手段】
本発明に係る包装用リボンは、同一幅又は異なる幅の細長い片からなるリボンを複数本並設し、該リボンの中央部又は途中で隣接するリボン同士が連接し、かつ並設した複数本のリボンのうち一本又は複数本前記連接部において蝶リボン部を留め具又は結びによって形成し、残りのリボンは少なくとも横方向リボン及び又は縦方向リボンとしたものである。
【０００６】
また本発明に係る包装用リボンは、蝶リボンの中心部を留めるものとして使用する留め具が、ワイヤー、ワイヤーとリボン留めの組合せ、ビーズ付ワイヤー、金属線入り帯状フィルム（以下、帯フィルムという）、生地シール付帯フィルム、花付ワイヤー、リボン付花ワイヤー、バンド式留め具等の各種留め具を使用したものである。
また本発明に係る包装用リボンは、上記縦方向リボンの連接部の端部にシワ防止用切り込みを形成することができる。
【０００７】
本発明に係る包装用リボンは、上記蝶リボン部にリボン輪を増やすための切り込みを形成することができる。
また本発明に係る包装用リボンは、上記リボンのうち少なくともいずれか１本のリボンに、抜き文字、抜き記号又は星、花、リボン、鳥、三角、四角等の各種の抜き図形を形成することができる。
【０００８】
【発明実施の形態】
以下、本発明の一実施例を図面により説明する。
まず、はじめに３本のリボンを並設した場合について説明する。
同一幅又は異なる幅の細長い片からなるリボン１、２、３を３本並設する。リボン１、２、３の中央部又は途中で、隣接するリボン１と２、２と３同士が連接し、かつ並設した３本のリボンのうち一本又は複数本は連接部４において蝶リボン部６を留め具５又は結び７によって形成し、残りのリボンは少なくと横方向リボン及び又は縦方向リボンとする。リボン１、２、３の長さは蝶リボン部６を形成できる長さとし、また横方向及び縦方向リボンとして包装物８を包装できる長さとする。ここで重要なことは、３本の並設したリボン１、２、３の中央部又は途中で隣接するリボン同士が略同じ箇所で連接していることである。すなわち、連接部４が形成されていることである。
【０００９】
３本のリボン１、２、３の幅や連接部４の形成は裁断機や型による打ち抜き機等を使用して一挙に形成することができる。
こうして得られた３本のリボン１、２、３から包装用リボンを形成する手順を述べる。
まず、リボン１の表面であるＡ、Ｂをリボン２の表面であるＣ、Ｄにむけて畳む。従って一段目はリボン１の裏面であるＡ´Ｂ´が上面に位置することとなる。さらに、リボン１の裏面であるＡ´Ｂ´が上面に位置した状態でリボン２の表面であるＣ、Ｄに重ねた状態で、リボン３の表面であるＥ、Ｆに重ねるようにして畳む。従って、３本のリボン１、２、３が重なり合って１本の状態になり、リボン２の裏面であるＣ´Ｄ´面が一番上に位置し、次に上から２番目に位置するリボン１の裏面であるＡ´Ｂ´面と最下位に位置するリボン３の表面であるＥＦが重なり、結局、一番上に位置するリボン２の裏面Ｃ´Ｄ´が上面となり、次に２番目に位置するリボン１の表面ＡＢが上面となり、最後に位置するリボン３の表面ＥＦが上面となる状態である。
【００１０】
一番上に位置するリボン２の裏面Ｃ´Ｄ´は連接部４を挟んで原則として左右から対称となるように折り返す。すなわち、連接部４の中心からＣ´までの部分をＤ´下に所定角度にあわせて返す。前記原則に対する例外として、非対称に折り返すようにしてもよい。
イ部分が左蝶リボン輪になる。
ロ部分が右蝶リボン足になる。
【００１１】
０００９項に記載したと同様にして、連接部４の中心からＤ´部分をＡの下に所定角度にあわせて返す。
ハ部分が右蝶リボン輪になる。
ニ部分が左蝶リボン足になる。
【００１２】
ＡＢ間の連接部４の中心点Ｇに二つ折にしたワイヤーとリボン留めの組合せ５ａ等の留め具５をかませ、うしろできつくひねり止めして蝶リボン部６を作る。留め具５は蝶リボンの中心部を留めるものとして、ワイヤー（被覆したものを含む）（図示せず）、ワイヤーとリボン留めの組合せ５ａ（図８（ｂ）参照）の外、ビーズ付ワイヤー５ｂ（図８（ｃ）、（ｄ）参照）、帯フィルム５ｃ（図８（ｋ）、（ｌ）参照）、生地シール付帯フィルム５ｄ（図８（ｅ）、（ｆ）参照）、花付ワイヤー５ｅ（図８（ｇ）、（ｈ）参照）、リボン付花ワイヤー５ｆ（図８（ｉ）、（ｊ）参照）、バンド式留め具（図８（ｍ）参照）等の各種留め具を使用することができる。
さらに具体的には、次のものが使用される。
▲１▼ワイヤーとリボン留めの組合せ
▲２▼ビーズ付ワイヤーまたは帯フィルム
▲３▼帯フィルムと生地シールの組合せ
リボンと同じ生地をシール加工、スリッター、断裁することにより生地シールを製作し、帯フィルムに巻つけて使用することにより手で蝶結びしたようにみえる。
▲４▼花付ワイヤー
▲５▼リボン付花ワイヤー
▲６▼ワイヤー（被覆したものを含む）
▲７▼バンド式留め具
このほかにもさまざまなパーツで蝶リボン中心部をひねり留めることができる。例えば、帯フィルム、クリスマスパーツ、モール、紐、ゴム等の留め具であってもよい。
なお、帯フィルムとは金属線等のワイヤーを挟んで上下から表面を真空蒸着等により各種色彩に着色した細幅のポリエステルフィルム等の樹脂フィルムで熱溶着等して形成したものである。
しかし、留め具５を使用しない場合は、直接、結び７を形成して蝶リボン部６を形成してもよい。
【００１３】
このとき、リボン１のＡＢ面の下にリボン３のＥＦ面がある。
リボン３のＥから点Ｇ部分を点Ｇを軸として９０度上に回転させ、これを縦方向のリボンの上部とする。
また点Ｇからリボン３のＦ部分を点Ｇを軸として９０度下に回転させ、これを縦方向リボンの下部とする
これで蝶リボン部付き十文字リボンが完成する
【００１４】
次に、第２の実施例として、リボン中心のシワを無くすための切り込み９が入ったリボンについて説明する。
▲１▼３本のリボンが中心部でのみつながっている基本形を使用する。
▲２▼切り込み止まり部分Ｇ点から右下斜めに所定角度、例えば４５度、リボン巾１／２部分までカットして切り込み９を形成する。
▲３▼点Ｈを軸としてリボン３のＥをＡＣの下を通して９０度回転させ縦方向リボンとする。
▲４▼この時、リボン２のＣＤとリボン３のＦとの交差部分の余分生地をリボン２のＣＤの下に折りこむ。
▲５▼このようにすることによりリボンのシワが気にならなくなる。
なお、切り込み９部分を移動させても製作できる。
【００１５】
第３の実施例として、２本のリボンで作る場合について説明する。
基本的構成は３本のリボンの場合と同様で、連接部４を備えている。
▲１▼リボン１のＡＢ部分をリボン２のＣＤ部分にむけてたたむ。
▲２▼連接部の中心点でリボン１のＡＢ部分をそれぞれ交差させる。
▲３▼連接部の中心をワイヤーリボン留め５ａなどの留め具５でひねり、リボン１のＡＢ部分で蝶リボン部６を形成する。リボン２のＣＤ部分は横方向リボンとなる。
【００１６】
次に、第４の実施例として、リボン２のＣＤ部分が縦方向リボンとなる場合について説明する。
▲１▼第２の実施例の２本のリボンを縦に置く。
▲２▼リボン１のＡＢ部分をリボン２のＣＤ部分のうしろにたたむ。すなわちリボン１の裏面Ａ´Ｂ´が表になる状態である。
▲３▼Ｂで輪を作り、その上にＡを重ねる。Ｂで作った輪にＡを入れきつくしばる。
▲４▼この時、Ｂ´、Ａがそれぞれ表になっている状態である。
▲５▼Ａでリボン輪６ａを作り、ＢをＡ輪とＢの間に入れ蝶リボン部６を作る。▲６▼縦方向リボンと蝶リボン部６ができる。この時、リボン輪６ａの片方が裏地になる。
【００１７】
第５の実施例は蝶リボン部６の蝶リボン輪６ａになる部分に切り込み１０を入れることにより蝶リボン輪６ａを増やすことができる例である。
蝶リボン輪６ａになる箇所に１本の切り込み１０を入れると２本の蝶リボン輪６ａになる。切り込み１０の数を増やすことにより、蝶リボン輪６ａを３本、４本と増やすことができる。また、斜めにピンキングを入れたり等、切り込みの入れ方によって変わったデザインのものができる。
【００１８】
第６の実施例はリボンが４本の場合である。
基本的な考え方は実施例１と同様である。すなわち実施例１と同様にしてリボン１、２、３、２´を折りたたむ。一番上になるのがリボン２´のＧ´Ｈ´（ＧＨの裏面を示す。図示せず。）である。その部分を図６（ｂ）のようにリボン２´のＧＨが表となるように畳み込む。リボン２のＣＤが蝶リボン部６となり、蝶リボン輪６ａ、蝶リボン足となる（図６（ｂ）参照）。なお、Ｇ´Ｈ´とＡ´Ｂ´を一緒に畳み、ダブル蝶リボン輪、ダブル蝶リボン足を作ることもできる。このように畳み方によりさまざまなアレンジが可能となる。リボンの数にも３本、４本、５本、６本、………と数に限りはない。
【００１９】
第７の実施例は第１の実施例と００１１項で説明した箇所までは同一である。異なる点は次の通りである。リボン１のＡＢの後ろにリボン３のＥＦが重なっている。リボン３のＥＦのうちのＦ部分を蝶リボン部６の中心上にのせ真下にして縦方向リボンの下部となる。リボン３のＥＦのうちのＥ部分を蝶リボン部６の真上にくるように所定角度回転させ、縦方向リボンの上部とする。後ろで、リボン３の裏面Ｅ´とＦ´を合わせワイヤー等できつく縛る。こうして、十文字リボン（縦及び横方向リボン）と蝶リボンができ上がる。このようにすることにより、リボン中心部が手結びしたように見える。また後ろで結びを形成して製作する方法もある。
【００２０】
本発明に係る包装用リボンは、図９（ａ）〜（ｇ）に示すように、使用するリボンに各種図形等の打ち抜きを形成することができる。すなわちリボンのうち少なくともいずれか１本のリボンに、抜き文字、抜き記号又は星、花、リボン、鳥、三角、四角等の各種の抜き図形を形成することにより、贈り物用の包装に変化や楽しさ、贈り主の気持ち等を伝えることができる等の用途に応じた使い方が可能となる。
【００２１】
【発明の効果】
本発明は上記の説明から判るように、同一幅又は異なる幅の細長い片からなるリボンを複数本並設し、該リボンの中央部又は途中で隣接するリボン同士が連接し、かつ並設した複数本のリボンのうち一本又は複数本前記連接部において蝶リボン部を留め具又は結びによって形成し、残りのリボンは少なくと横方向リボン及び又は縦方向リボンとした包装用リボンであるから、店員等が商品を包装する場合において、店員等が熟練を要することなく誰でも簡単に奇麗にリボン掛けができ、リボン掛けの出来栄えが誰がおこなっても一定の品質を維持でき、またリボン飾りの製作費用も大幅に短縮することができる。
【００２２】
また前記留め具は蝶リボンの中心部を留めるものとして、ワイヤー、ワイヤーとリボン留めの組合せ、ビーズ付ワイヤー、金属線入り帯状フィルム（以下、帯フィルムという）、生地シール付帯フィルム、花付ワイヤー、リボン付花ワイヤー、バンド式留め具等の各種留め具を使用することにより、蝶リボン部の形成が容易となり、蝶リボン部に色々な変化をつけることができ、より一層、リボンが引き立つこととなる。
【００２３】
そして縦方向リボンの連接部の端部にシワ防止用切り込みを形成した場合は、縦方向リボンにしわの発生がなくなり、リボン飾りにおいて一層奇麗に仕上げることができる。
【００２４】
さらに蝶リボン部にリボン輪を増やすための切り込みを形成した場合には、一本のリボンで、蝶リボン部のリボン輪を増やすことができ、豪華さが増す上にリボン生地の使用が少なくて済み安価な製品が得られる。
【００２５】
またリボンのうち少なくともいずれか１本のリボンに、抜き文字、抜き記号又は星、花、リボン、鳥、三角、四角等の各種の抜き図形を形成した場合には、包装用リボン飾りとして、変化を楽しんだりアクセントをつけることによりリボンの楽しさが増すこととなる。
【図面の簡単な説明】
【図１】（ａ）〜（ｇ）は本発明の第１の実施例を示す製作工程図である。
【図２】（ａ）〜（ｃ）は本発明の第２の実施例を示す製作工程図で、（ｃ）は部分拡大図である。
【図３】（ａ）（ｂ）は本発明の第３の実施例を示す製作工程図である。
【図４】（ａ）〜（ｆ）は本発明の第４の実施例を示す製作工程図である。
【図５】（ａ）（ｂ）は本発明の第５の実施例を示す製作工程図である。
【図６】（ａ）（ｂ）は本発明の第６の実施例を示す製作工程図である。
【図７】（ａ）〜（ｇ）は本発明の第７の実施例を示す製作工程図である。
【図８】（ａ）〜（ｌ）は本発明で使用する各種留め具の説明図である。
【図９】（ａ）〜（ｇ）は本発明で使用するリボンに各種図形等の打ち抜きを形成した場合の説明図である。
【符号の説明】
１  リボン
２  リボン
３  リボン
４  連接部
５  留め具
５ａ  ワイヤーとリボン留め具の組合せ
５ｂ  ビーズ付ワイヤー
５ｃ  帯フィルム
５ｄ  生地シール付ビニタイ
５ｅ  花付ワイヤー
５ｆ  リボン付花ワイヤー
６    蝶リボン部
６ａ  蝶リボン輪
７    結び
８    包装物
９    切り込み
１０  切り込み
【図１】
0003952235.tif 000002
【図２】
0003952235.tif 000003
【図３】
0003952235.tif 000004
【図４】
0003952235.tif 000005
【図５】
0003952235.tif 000006
【図６】
0003952235.tif 000007
【図７】
0003952235.tif 000008
【図８】
0003952235.tif 000009
【図９】
0003952235.tif 000010